(57)【要約】      （修正有）【課題】上下２列の端子セットがいずれも放射状とされ、周知の４列ではなく、２列の接地端子とされたエイチディーエムアイ嵌合式コネクタの提供。【解決手段】二組の、放射状を呈する端子セット及び集束ブロック、第１ケース、第２ケース、中隔片、プラグ前樹脂ブロックで構成され、そのうち上下の集束ブロックと二組の端子がそれぞれ熱可塑性を利用して定型され、相互の凸塊と盲孔が一体に併合されると共に、金属製の中隔片がその間に介装され、第１、２ケースが側板の内凸板で孔框と相互に係合され、且つ第１ケースの側板にストッパ部と口形框の前方の内ティルト板が設けられ、プラグ前樹脂ブロックが組み合わされて二組の端子セットがその間に固定される。【選択図】図９
0003111426.tif 000002
【実用新案登録請求の範囲】
【請求項１】
両端に下向きに係合部が凸設され、前向きに舌塊が設けられ、その下方に二つの盲孔が設けられ、熱可塑性材料で一組の端子セットと一体に形成された、上集束ブロックと、
舌塊が設けられ下方に上集束ブロックの盲孔と係合する二つの凸塊が設けられ、上集束ブロックの係合部に対応する位置に凹溝と肩部が設けられてそれと係合し、熱可塑性材料で別の一組の端子セットと一体に形成された、下集束ブロックと、
逆Ｕ形を呈し、両側片が外向きに張開し、上方の横片に孔が設けられた、金属製の中隔片と、
前部が中空の口形框とされ、後部が逆Ｕ形框とされ、逆Ｕ形框の中空の口形框との接続辺縁に内傾板が設けられ、逆Ｕ形框の両側板に二つの孔が設けられ、辺縁部分に内向きに突出するストッパ部が設けられ、後端より頸部が延伸されて上蓋部に接続され、別に口形框の前端口に内ティルト板が形成された、第１ケースと、
第１ケースの逆Ｕ形框とより大きな逆Ｕ形框と第１ケースの上蓋部より大きな下蓋部が頸部で接続され、その逆Ｕ形框の二つの側板に内凸板が設けられ、前方開口部分の両側に内斜板が設けられた、第２ケースと、
を具え、第１、２ケースが両者の側板の孔及び内凸板の係合により組み合わされ、上下の集束ブロックが第１ケースの逆Ｕ形框部分に位置し、並びに第１ケースのストッパ部、内傾板による圧接により位置決めされ、金属の中隔片が上下の集束ブロックの間に位置し、孔でその凸塊と嵌合され、口形框部分にプラグ前樹脂ブロックが設けられて端子セット前端が位置決めされ、且つそれが内ティルト板の位置制限を受けて固定されたことを特徴とする、エイチディーエムアイ嵌合式コネクタ。
【請求項２】
請求項１記載のエイチディーエムアイ嵌合式コネクタにおいて、金属の中隔片の両側板が外向きに張開状とされて、金属ケースと接触することを特徴とする、エイチディーエムアイ嵌合式コネクタ。
【請求項３】
請求項１記載のエイチディーエムアイ嵌合式コネクタにおいて、第１、２ケースがそれぞれ一体成形され、且ついずれにも補強片が鍛設されたことを特徴とする、エイチディーエムアイ嵌合式コネクタ。
【考案の詳細な説明】
【技術分野】
【０００１】
本考案は組立が簡単で構造が強固で、伝送が確実であるエイチディーエムアイ（ＨＤＭＩ；Ｈｉｇｈ  Ｄｅｆｉｎｉｔｉｏｎ  Ｍｕｌｔｉｍｅｄｉａ  Ｉｎｔｅｒｆａｃｅ）嵌合式コネクタの設計に関する。
【背景技術】
【０００２】
エイチディーエムアイ（ＨＤＭＩ；Ｈｉｇｈ  Ｄｅｆｉｎｉｔｉｏｎ  Ｍｕｌｔｉｍｅｄｉａ  Ｉｎｔｅｒｆａｃｅ）嵌合式コネクタはＤＶＩをベースとし、消費市場を満足させるため、Ｓｉｌｉｃｏｎ  Ｉｍａｇｅ社を中心に、日立製作所、松下電器産業、Ｐｈｉｌｉｐｓ、ソニー、ＴＨｏｍｓｏｎ  Ｍｕｌｔｉｍｅｄｉａ社、東芝が共同で策定した。その周波数幅は５Ｇｂｐｓに達する。現在のＤＶＩラインはただ映像情報（即ちビデオ信号及び同期信号）を伝送するが、ＨＤＭＩにはマルチチャンネルデジタル音声信号を伝送する機能が加えられ、圧縮或いは不圧縮の形式に関わらず伝送可能で、並びにそれは等にＡＶ機器の間にあって基本のコントロールデータをそれぞれ伝送できる。更なる実用性を求め、ＨＤＭＩに使用されるコネクタはＤＶＩより小さく、並びに高解析度の「デジタルデバイスフォーマット」の支援が増され、これはＤＶＩ−ＨＤＴＶにはない。このほか、ＤＶＩ−ＨＤＴＶと同じく、ＨＤＭＩもまたＨＤＣＰ技術により内容を保護する。
【０００３】
ＨＤＭＩの樹立する新標準は、将来の未圧縮デジタル映像とマルチチャンネル音声信号を単一全デジタルインタフェースに統合するための準備に等しく、このようなインタフェースはＨＤＣＰの安全メカニズムも整合する。これは優れた内容をアクセス保護に提供するためである。且つそれは現在の家庭娯楽システムのＡＶケーブルの複雑な取り付けを簡易化し、１本のＨＤＭＩケーブルを伝統的な１１本のＡＶケーブルの代わりとすることができ、これらに関係するメーカー及び消費者が全体システムを購入する時に必要なコストを減らし、そのビデオ信号とサウンドの品質を減らすことがない。これから分かるように、その伝送システムの効果はどのような伝送ノードにあってもその重要性をおろそかにできない。
【０００４】
ＨＤＭＩ伝送の開始端はコネクタとすることができ、その要求はＤＶＩより小さく、ゆえに後続伝送結果に対する影響の重要性はおろそかにできない。業界ではこの部分を軽視し、一般のコネクタの設計様式でこれを設計しているが、加工が面倒で、それに伴いコストもアップするため、早急な改善が必要である。
【考案の開示】
【考案が解決しようとする課題】
【０００５】
本考案は一種のＨＤＭＩ嵌合式コネクタを提供することを目的とし、それは上下２列の端子セットがいずれも放射状とされ、周知の４列ではなく、２列の接地端子とされたものとする。
【０００６】
本考案は一種のＨＤＭＩ嵌合式コネクタを提供することを目的とし、それは特殊設計の輻射分散する嵌合式端子を使用し、直接集束ブロックを熱可塑性材料を利用して定型し、安定性を増し、その他の挿入定型接合法とは異なり、確実に振動の増加による共振効果を減らしたものとする。
【０００７】
本考案は一種のＨＤＭＩ嵌合式コネクタを提供することを目的とし、それは二つの集束ブロックと二つの端子セットが一体射出成形され、金属中隔片が二つの集束ブロックの間に介装され、これにより上下の端子セット間の電磁干渉が防止されたものとする。
【０００８】
本考案は一種のＨＤＭＩ嵌合式コネクタを提供することを目的とし、それは、第１ケース、第２ケースがそれぞれ一体成形され、側板の内凸板で孔框に係合し、且つ第１ケースの側板にストッパ部と口形框前の内ティルト板が設けられ、プラスチックプラグが組み合わされて二組の端子束がその間に固定され、且つ上部に突出する補強板が鍛設されたものとする。
【課題を解決するための手段】
【０００９】
請求項１の考案は、
両端に下向きに係合部が凸設され、前向きに舌塊が設けられ、その下方に二つの盲孔が設けられ、熱可塑性材料で一組の端子セットと一体に形成された、上集束ブロックと、
舌塊が設けられ下方に上集束ブロックの盲孔と係合する二つの凸塊が設けられ、上集束ブロックの係合部に対応する位置に凹溝と肩部が設けられてそれと係合し、熱可塑性材料で別の一組の端子セットと一体に形成された、下集束ブロックと、
逆Ｕ形を呈し、両側片が外向きに張開し、上方の横片に孔が設けられた、金属製の中隔片と、
前部が中空の口形框とされ、後部が逆Ｕ形框とされ、逆Ｕ形框の中空の口形框との接続辺縁に内傾板が設けられ、逆Ｕ形框の両側板に二つの孔が設けられ、辺縁部分に内向きに突出するストッパ部が設けられ、後端より頸部が延伸されて上蓋部に接続され、別に口形框の前端口に内ティルト板が形成された、第１ケースと、
第１ケースの逆Ｕ形框とより大きな逆Ｕ形框と第１ケースの上蓋部より大きな下蓋部が頸部で接続され、その逆Ｕ形框の二つの側板に内凸板が設けられ、前方開口部分の両側に内斜板が設けられた、第２ケースと、
を具え、第１、２ケースが両者の側板の孔及び内凸板の係合により組み合わされ、上下の集束ブロックが第１ケースの逆Ｕ形框部分に位置し、並びに第１ケースのストッパ部、内傾板による圧接により位置決めされ、金属の中隔片が上下の集束ブロックの間に位置し、孔でその凸塊と嵌合され、口形框部分にプラグ前樹脂ブロックが設けられて端子セット前端が位置決めされ、且つそれが内ティルト板の位置制限を受けて固定されたことを特徴とする、エイチディーエムアイ嵌合式コネクタとしている。
請求項２の考案は、請求項１記載のエイチディーエムアイ嵌合式コネクタにおいて、金属の中隔片の両側板が外向きに張開状とされて、金属ケースと接触することを特徴とする、エイチディーエムアイ嵌合式コネクタとしている。
請求項３の考案は、請求項１記載のエイチディーエムアイ嵌合式コネクタにおいて、第１、２ケースがそれぞれ一体成形され、且ついずれにも補強片が鍛設されたことを特徴とする、エイチディーエムアイ嵌合式コネクタとしている。
【考案の効果】
【００１０】
本考案のＨＤＭＩ嵌合式コネクタは部品組立が簡易で、強固で耐用性があり、安定性が高く、業界に実用的なコネクタである。
【考案を実施するための最良の形態】
【００１１】
本考案のＨＤＭＩ嵌合式コネクタは、第１ケース１０、第２ケース２０、プラグ前樹脂ブロック３０、二つの、放射状を呈する端子セット５０ａ、５０ｂ及び集束ブロック６０、７０、中隔片８０で構成されている。図１に示されるのは本考案が採用する輻射式端子セット５０であり、その輻射状を呈する設計により、組立嵌合時に必要な空間を増し、嵌合伝送の安定性と加工時間短縮の特徴を有する。且つ４列の設置端子が２列にまとめられる。図２、４は本考案の端子セット５０と熱可塑性を利用して固定される集束ブロック６０、７０の形状を示す。上集束ブロック６０の両端に下向きに係合部６１が凸設され、係合部６１の底端の傍らに孔６２が設けられ、集束ブロック６０に前向きに舌塊６４が設けられ、下方に二つの盲孔６３が設けられる。図３も共に参照されたい。上集束ブロック６０は材料の熱可塑性を利用して一組の端子セット５０ａと一体に形成される。下集束ブロック７０は、図４、５に示されるように、舌塊７４を具え、下方に二つの凸塊７３が上集束ブロック６０の盲孔６３と係合するように設けられている。且つ下集束ブロック７０にあって上集束ブロック６０の係合部６１に対応する位置に凹溝７１及び肩部７２が設けられそれと係合し、これから分かるように、本考案は４列の設置端子を２列にまとめたことを特徴とする。
【００１２】
図６に示されるのは金属製の中隔片８０であり、それは逆Ｕ形を呈するが、両側片８１は外向きに張開している。その目的は、金属ケースと接触可能として、シールドの効果を達成することであり、上方の横片に孔８２が設けられて下集束ブロック７０の凸塊７３が嵌合される。
【００１３】
図７は金属の第１ケース１０を示し、その前段は中空の口形框１１とされ、後段は逆Ｕ形框１２とされ、逆Ｕ形框１２の口形框１１との接続辺の側板１５に、内傾板１９が設けられ、適当な弾力を具備するものとされる。二つの側板１５に二つの孔１４が設けられ、辺縁部分に内向きに突出するストッパ部１３が設けられて、内傾板１９と合わせて集束ブロックを収容し、逆Ｕ形框１２の後部より頸部１６が延伸されて上蓋部１７に接続される。別に口形框１１の前端口に内ティルト板１８が形成される。
【００１４】
図８に示される金属製の第２ケース２０は、第１ケース１０より大きな逆Ｕ形框２１と上蓋部１７より大きな下蓋部２５を具えて該逆Ｕ形框２１と下蓋部２５が頸部２４で接続され、逆Ｕ形框２１の両側板２２に内凸板２３が設けられ、前方開口部分の両側に内斜板２８が形成されている。下蓋部２５は内向き段状を呈し、下方は円弧形板２７とされ、上向きに両側よりピン板２６が延伸されている。
【００１５】
そのうち、第１、２ケース１０、２０は一体成形されそれぞれに補強板１０１が凸設され、図示されるものは四角形状とされる。
【００１６】
本考案のＨＤＭＩ嵌合式コネクタは上述の簡単な部品の組合せで構成され、急速組立と安定保持の効果を有する。図９の組合せ図に示されるように、第１、２ケース１０、２０は両者の側板１５、２２の孔１４及び内凸板２３の係合により、上下の端子セット５０ａ、５０ｂは上下の集束ブロック６０、７０が第１ケース１０のストッパ部１３及び内傾板１９及び第２ケース２０前端の内斜板２８の圧接によりその間に固定され、その後にプラスチックと一体成形される。
【００１７】
そのうち、金属の中隔片８０は二つの集束ブロック６０、７０の間に位置する。また、端子の前部にプラグ前樹脂ブロック３０が固定され、それは内ティルト板１８の位置制限を受けて口形框１４中に固定される。
【００１８】
総合すると、本考案のＨＤＭＩ嵌合式コネクタは部品組立が簡易で、強固で耐用性があり、安定性が高く、業界に実用的なコネクタを提供する。
【図面の簡単な説明】
【００１９】
【図１】本考案の端子セットの実施例図である。
【図２】本考案の上集束ブロックの実施例図である。
【図３】図１と図２の組合せ図である。
【図４】本考案の下集束ブロックの実施例図である。
【図５】前図と端子セットの組合せ実施例図である。
【図６】本考案の金属製の中隔片の実施例図である。
【図７】本考案の第１ケースの実施例図である。
【図８】本考案の第２ケースの実施例図である。
【図９】本考案の組合せ実施例図である。
【符号の説明】
【００２０】
１０  第１ケース        １１  口形框        １２  逆Ｕ形框
１３  ストッパ部        １４  孔框          １５  側板
１６  頸部              １７  内蓋部        １８  内ティルト板
２０  第２ケース        ２１  逆Ｕ形框      ２２  側板
２３  内凸板            ２４  頸部          ２５  下蓋部
２６  ピン板            ２７  円弧形板      ２８  内斜板
３０  プラグ前樹脂ブロック    ５０ａ、５０ｂ  端子セット
６０  集束ブロック      ７０  集束ブロック
６２  孔                ６３  盲孔
６４  舌塊              ７１  凹溝
７２  肩部              ７３  凸塊
７４  舌塊              ８０  中隔片
８１  側片              ８２  孔
１９  内傾板            １０１  補強板
【図１】
0003111426.tif 000003
【図２】
0003111426.tif 000004
【図３】
0003111426.tif 000005
【図４】
0003111426.tif 000006
【図５】
0003111426.tif 000007
【図６】
0003111426.tif 000008
【図７】
0003111426.tif 000009
【図８】
0003111426.tif 000010
【図９】
0003111426.tif 000011
【手続補正書】
【提出日】平成17年3月23日(2005.3.23)
【手続補正１】
【補正対象書類名】実用新案登録請求の範囲
【補正対象項目名】全文
【補正方法】変更
【補正の内容】
【実用新案登録請求の範囲】
【請求項１】
両端に下向きに係合部が凸設され、前向きに舌塊が設けられ、その下方に二つの盲孔が設けられ、熱可塑性材料で一組の端子セットと一体に形成された、上集束ブロックと、
舌塊が設けられ下方に上集束ブロックの盲孔と係合する二つの凸塊が設けられ、上集束ブロックの係合部に対応する位置に凹溝と肩部が設けられてそれと係合し、熱可塑性材料で別の一組の端子セットと一体に形成された、下集束ブロックと、
逆Ｕ形を呈し、両側片が外向きに張開し、上方の横片に孔が設けられた、金属製の中隔片と、
前部が中空の口形框とされ、後部が逆Ｕ形框とされ、逆Ｕ形框の中空の口形框との接続辺縁に内傾板が設けられ、逆Ｕ形框の両側板に二つの孔が設けられ、辺縁部分に内向きに突出するストッパ部が設けられ、後端より頸部が延伸されて上蓋部に接続され、別に口形框の前端口に内ティルト板が形成された、第１ケースと、
第１ケースの逆Ｕ形框とより大きな逆Ｕ形框と第１ケースの上蓋部より大きな下蓋部が頸部で接続され、その逆Ｕ形框の二つの側板に内凸板が設けられ、前方開口部分の両側に内斜板が設けられた、第２ケースと、
を具え、第１、２ケースが両者の側板の孔及び内凸板の係合により組み合わされ、上下の集束ブロックが第１ケースの逆Ｕ形框部分に位置し、並びに第１ケースのストッパ部、内傾板による圧接により位置決めされ、金属の中隔片が上下の集束ブロックの間に位置し、孔でその凸塊と嵌合され、口形框部分にプラグ前樹脂ブロックが設けられて端子セット前端が位置決めされ、且つそれが内ティルト板の位置制限を受けて固定されたことを特徴とする、嵌合式コネクタ。
【請求項２】
請求項１記載の嵌合式コネクタにおいて、金属の中隔片の両側板が外向きに張開状とされて、金属ケースと接触することを特徴とする、嵌合式コネクタ。
【請求項３】
請求項１記載の嵌合式コネクタにおいて、第１、２ケースがそれぞれ一体成形され、且ついずれにも補強片が鍛設されたことを特徴とする、嵌合式コネクタ。
【手続補正２】
【補正対象書類名】明細書
【補正対象項目名】全文
【補正方法】変更
【補正の内容】
【考案の詳細な説明】
【技術分野】
【０００１】
本考案は組立が簡単で構造が強固で、伝送が確実であるエイチディーエムアイ（登録商標）（ＨＤＭＩ（登録商標）；Ｈｉｇｈ  Ｄｅｆｉｎｉｔｉｏｎ  Ｍｕｌｔｉｍｅｄｉａ  Ｉｎｔｅｒｆａｃｅ（登録商標））嵌合式コネクタの設計に関する。
【背景技術】
【０００２】
エイチディーエムアイ（登録商標）（ＨＤＭＩ（登録商標）；Ｈｉｇｈ  Ｄｅｆｉｎｉｔｉｏｎ  Ｍｕｌｔｉｍｅｄｉａ  Ｉｎｔｅｒｆａｃｅ（登録商標））嵌合式コネクタはＤＶＩをベースとし、消費市場を満足させるため、Ｓｉｌｉｃｏｎ  Ｉｍａｇｅ社を中心に、日立製作所、松下電器産業、Ｐｈｉｌｉｐｓ、ソニー、ＴＨｏｍｓｏｎ  Ｍｕｌｔｉｍｅｄｉａ社、東芝が共同で策定した。その周波数幅は５Ｇｂｐｓに達する。現在のＤＶＩラインはただ映像情報（即ちビデオ信号及び同期信号）を伝送するが、ＨＤＭＩ（登録商標）にはマルチチャンネルデジタル音声信号を伝送する機能が加えられ、圧縮或いは不圧縮の形式に関わらず伝送可能で、並びにそれは等にＡＶ機器の間にあって基本のコントロールデータをそれぞれ伝送できる。更なる実用性を求め、ＨＤＭＩ（登録商標）に使用されるコネクタはＤＶＩより小さく、並びに高解析度の「デジタルデバイスフォーマット」の支援が増され、これはＤＶＩ−ＨＤＴＶにはない。このほか、ＤＶＩ−ＨＤＴＶと同じく、ＨＤＭＩ（登録商標）もまたＨＤＣＰ技術により内容を保護する。
【０００３】
ＨＤＭＩ（登録商標）の樹立する新標準は、将来の未圧縮デジタル映像とマルチチャンネル音声信号を単一全デジタルインタフェースに統合するための準備に等しく、このようなインタフェースはＨＤＣＰの安全メカニズムも整合する。これは優れた内容をアクセス保護に提供するためである。且つそれは現在の家庭娯楽システムのＡＶケーブルの複雑な取り付けを簡易化し、１本のＨＤＭＩ（登録商標）ケーブルを伝統的な１１本のＡＶケーブルの代わりとすることができ、これらに関係するメーカー及び消費者が全体システムを購入する時に必要なコストを減らし、そのビデオ信号とサウンドの品質を減らすことがない。これから分かるように、その伝送システムの効果はどのような伝送ノードにあってもその重要性をおろそかにできない。
【０００４】
ＨＤＭＩ（登録商標）伝送の開始端はコネクタとすることができ、その要求はＤＶＩより小さく、ゆえに後続伝送結果に対する影響の重要性はおろそかにできない。業界ではこの部分を軽視し、一般のコネクタの設計様式でこれを設計しているが、加工が面倒で、それに伴いコストもアップするため、早急な改善が必要である。
【考案の開示】
【考案が解決しようとする課題】
【０００５】
本考案は一種のＨＤＭＩ（登録商標）嵌合式コネクタを提供することを目的とし、それは上下２列の端子セットがいずれも放射状とされ、周知の４列ではなく、２列の接地端子とされたものとする。
【０００６】
本考案は一種のＨＤＭＩ（登録商標）嵌合式コネクタを提供することを目的とし、それは特殊設計の輻射分散する嵌合式端子を使用し、直接集束ブロックを熱可塑性材料を利用して定型し、安定性を増し、その他の挿入定型接合法とは異なり、確実に振動の増加による共振効果を減らしたものとする。
【０００７】
本考案は一種のＨＤＭＩ（登録商標）嵌合式コネクタを提供することを目的とし、それは二つの集束ブロックと二つの端子セットが一体射出成形され、金属中隔片が二つの集束ブロックの間に介装され、これにより上下の端子セット間の電磁干渉が防止されたものとする。
【０００８】
本考案は一種のＨＤＭＩ（登録商標）嵌合式コネクタを提供することを目的とし、それは、第１ケース、第２ケースがそれぞれ一体成形され、側板の内凸板で孔框に係合し、且つ第１ケースの側板にストッパ部と口形框前の内ティルト板が設けられ、プラスチックプラグが組み合わされて二組の端子束がその間に固定され、且つ上部に突出する補強板が鍛設されたものとする。
【課題を解決するための手段】
【０００９】
請求項１の考案は、
両端に下向きに係合部が凸設され、前向きに舌塊が設けられ、その下方に二つの盲孔が設けられ、熱可塑性材料で一組の端子セットと一体に形成された、上集束ブロックと、
舌塊が設けられ下方に上集束ブロックの盲孔と係合する二つの凸塊が設けられ、上集束ブロックの係合部に対応する位置に凹溝と肩部が設けられてそれと係合し、熱可塑性材料で別の一組の端子セットと一体に形成された、下集束ブロックと、
逆Ｕ形を呈し、両側片が外向きに張開し、上方の横片に孔が設けられた、金属製の中隔片と、
前部が中空の口形框とされ、後部が逆Ｕ形框とされ、逆Ｕ形框の中空の口形框との接続辺縁に内傾板が設けられ、逆Ｕ形框の両側板に二つの孔が設けられ、辺縁部分に内向きに突出するストッパ部が設けられ、後端より頸部が延伸されて上蓋部に接続され、別に口形框の前端口に内ティルト板が形成された、第１ケースと、
第１ケースの逆Ｕ形框とより大きな逆Ｕ形框と第１ケースの上蓋部より大きな下蓋部が頸部で接続され、その逆Ｕ形框の二つの側板に内凸板が設けられ、前方開口部分の両側に内斜板が設けられた、第２ケースと、
を具え、第１、２ケースが両者の側板の孔及び内凸板の係合により組み合わされ、上下の集束ブロックが第１ケースの逆Ｕ形框部分に位置し、並びに第１ケースのストッパ部、内傾板による圧接により位置決めされ、金属の中隔片が上下の集束ブロックの間に位置し、孔でその凸塊と嵌合され、口形框部分にプラグ前樹脂ブロックが設けられて端子セット前端が位置決めされ、且つそれが内ティルト板の位置制限を受けて固定されたことを特徴とする、嵌合式コネクタとしている。
請求項２の考案は、請求項１記載の嵌合式コネクタにおいて、金属の中隔片の両側板が外向きに張開状とされて、金属ケースと接触することを特徴とする、嵌合式コネクタとしている。
請求項３の考案は、請求項１記載の嵌合式コネクタにおいて、第１、２ケースがそれぞれ一体成形され、且ついずれにも補強片が鍛設されたことを特徴とする、嵌合式コネクタとしている。
【考案の効果】
【００１０】
本考案のＨＤＭＩ（登録商標）嵌合式コネクタは部品組立が簡易で、強固で耐用性があり、安定性が高く、業界に実用的なコネクタである。
【考案を実施するための最良の形態】
【００１１】
本考案のＨＤＭＩ（登録商標）嵌合式コネクタは、第１ケース１０、第２ケース２０、プラグ前樹脂ブロック３０、二つの、放射状を呈する端子セット５０ａ、５０ｂ及び集束ブロック６０、７０、中隔片８０で構成されている。図１に示されるのは本考案が採用する輻射式端子セット５０であり、その輻射状を呈する設計により、組立嵌合時に必要な空間を増し、嵌合伝送の安定性と加工時間短縮の特徴を有する。且つ４列の設置端子が２列にまとめられる。図２、４は本考案の端子セット５０と熱可塑性を利用して固定される集束ブロック６０、７０の形状を示す。上集束ブロック６０の両端に下向きに係合部６１が凸設され、係合部６１の底端の傍らに孔６２が設けられ、集束ブロック６０に前向きに舌塊６４が設けられ、下方に二つの盲孔６３が設けられる。図３も共に参照されたい。上集束ブロック６０は材料の熱可塑性を利用して一組の端子セット５０ａと一体に形成される。下集束ブロック７０は、図４、５に示されるように、舌塊７４を具え、下方に二つの凸塊７３が上集束ブロック６０の盲孔６３と係合するように設けられている。且つ下集束ブロック７０にあって上集束ブロック６０の係合部６１に対応する位置に凹溝７１及び肩部７２が設けられそれと係合し、これから分かるように、本考案は４列の設置端子を２列にまとめたことを特徴とする。
【００１２】
図６に示されるのは金属製の中隔片８０であり、それは逆Ｕ形を呈するが、両側片８１は外向きに張開している。その目的は、金属ケースと接触可能として、シールドの効果を達成することであり、上方の横片に孔８２が設けられて下集束ブロック７０の凸塊７３が嵌合される。
【００１３】
図７は金属の第１ケース１０を示し、その前段は中空の口形框１１とされ、後段は逆Ｕ形框１２とされ、逆Ｕ形框１２の口形框１１との接続辺の側板１５に、内傾板１９が設けられ、適当な弾力を具備するものとされる。二つの側板１５に二つの孔１４が設けられ、辺縁部分に内向きに突出するストッパ部１３が設けられて、内傾板１９と合わせて集束ブロックを収容し、逆Ｕ形框１２の後部より頸部１６が延伸されて上蓋部１７に接続される。別に口形框１１の前端口に内ティルト板１８が形成される。
【００１４】
図８に示される金属製の第２ケース２０は、第１ケース１０より大きな逆Ｕ形框２１と上蓋部１７より大きな下蓋部２５を具えて該逆Ｕ形框２１と下蓋部２５が頸部２４で接続され、逆Ｕ形框２１の両側板２２に内凸板２３が設けられ、前方開口部分の両側に内斜板２８が形成されている。下蓋部２５は内向き段状を呈し、下方は円弧形板２７とされ、上向きに両側よりピン板２６が延伸されている。
【００１５】
そのうち、第１、２ケース１０、２０は一体成形されそれぞれに補強板１０１が凸設され、図示されるものは四角形状とされる。
【００１６】
本考案のＨＤＭＩ（登録商標）嵌合式コネクタは上述の簡単な部品の組合せで構成され、急速組立と安定保持の効果を有する。図９の組合せ図に示されるように、第１、２ケース１０、２０は両者の側板１５、２２の孔１４及び内凸板２３の係合により、上下の端子セット５０ａ、５０ｂは上下の集束ブロック６０、７０が第１ケース１０のストッパ部１３及び内傾板１９及び第２ケース２０前端の内斜板２８の圧接によりその間に固定され、その後にプラスチックと一体成形される。
【００１７】
そのうち、金属の中隔片８０は二つの集束ブロック６０、７０の間に位置する。また、端子の前部にプラグ前樹脂ブロック３０が固定され、それは内ティルト板１８の位置制限を受けて口形框１４中に固定される。
【００１８】
総合すると、本考案のＨＤＭＩ（登録商標）嵌合式コネクタは部品組立が簡易で、強固で耐用性があり、安定性が高く、業界に実用的なコネクタを提供する。
【図面の簡単な説明】
【００１９】
【図１】本考案の端子セットの実施例図である。
【図２】本考案の上集束ブロックの実施例図である。
【図３】図１と図２の組合せ図である。
【図４】本考案の下集束ブロックの実施例図である。
【図５】前図と端子セットの組合せ実施例図である。
【図６】本考案の金属製の中隔片の実施例図である。
【図７】本考案の第１ケースの実施例図である。
【図８】本考案の第２ケースの実施例図である。
【図９】本考案の組合せ実施例図である。
【符号の説明】
【００２０】
１０  第１ケース        １１  口形框        １２  逆Ｕ形框
１３  ストッパ部        １４  孔框          １５  側板
１６  頸部              １７  内蓋部        １８  内ティルト板
２０  第２ケース        ２１  逆Ｕ形框      ２２  側板
２３  内凸板            ２４  頸部          ２５  下蓋部
２６  ピン板            ２７  円弧形板      ２８  内斜板
３０  プラグ前樹脂ブロック    ５０ａ、５０ｂ  端子セット
６０  集束ブロック      ７０  集束ブロック
６２  孔                ６３  盲孔
６４  舌塊              ７１  凹溝
７２  肩部              ７３  凸塊
７４  舌塊              ８０  中隔片
８１  側片              ８２  孔
１９  内傾板            １０１  補強板